(57)【要約】【課題】光ネットワークの低コスト化を維持しながら、光ネットワークの末端に接続されたクライアント機器の稼働率を維持、もしくは向上させる。【解決手段】光リピータ２に主信号再生部２１と制御部２２とアナログフロントエンド部２３とを設ける。主信号再生部２１に電気スイッチ部２１３1，２１３2を設ける。制御部２２に、コントローラ２２５を設け、光リピータ２Ａが所属する光ネットワークＮＷＡで障害が発生した場合、アナログフロントエンド部２３と近接する他の光リピータ２Ｂとの間の無線リンクを確立させ、この確立させた無線リンクを冗長経路として、障害が発生した側の光ネットワークＮＷＡのトラヒックを、近接する光リピータ２Ｂが所属する光ネットワークＮＷＢへ流通させる。【選択図】  図１
2019087960.tif 000002
【特許請求の範囲】
【請求項１】
上位通信装置とクライアント機器群とが光ファイバを通じて接続される光ネットワークの中継点に設置される光通信機器において、
主信号再生部と制御部とアナログフロントエンド部とを備え、
前記主信号再生部は、
前記クライアント機器群側から送られてくる光信号および前記上位通信装置側から送られてくる光信号を前記上位通信装置側への電気信号および前記クライアント機器群側への電気信号に変換する光電変換部と、
前記光電変換部で変換された前記上位通信装置側への電気信号および前記クライアント機器群側への電気信号を前記上位通信装置側への再生増幅された光信号および前記クライアント機器群側への再生増幅された光信号に変換する電光変換部と、
前記光電変換部から前記電光変換部への前記電気信号の通路に設けられた電気スイッチ部とを備え、
前記制御部は、
前記光ネットワークで障害が発生した場合、前記電気スイッチ部を制御し、前記光電変換部から前記上位通信装置側への電気信号の流出経路、および前記電光変換部への前記クライアント機器群側への電気信号の流入経路を前記アナログフロントエンド部側へ切り替えるコントローラを備え、
前記アナログフロントエンド部は、
近接する他の光通信機器との無線リンクを確立するための機能を備える
ことを特徴とする光通信機器。
【請求項２】
請求項１に記載された光通信機器において、
前記コントローラは、
前記光ネットワークで障害が発生した場合、前記アナログフロントエンド部と前記近接する他の光通信機器との間の無線リンクを確立させ、
この確立させた無線リンクを冗長経路として、前記障害が発生した側の光ネットワークのトラヒックを、前記近接する他の光通信機器が所属する光ネットワークへ流通させる
ことを特徴とする光通信機器。
【請求項３】
請求項２に記載された光通信機器において、
前記コントローラは、
前記アナログフロントエンド部と前記近接する他の光通信機器との間の冗長経路を形成する場合、
その冗長経路の形成先の候補として複数存在する前記近接する他の光通信機器に接続されているクライアント機器の数、トラヒック流通状況、もしくは優先度別トラヒック状況をもとに、前記冗長経路の形成先の光通信機器を決定する
ことを特徴とする光通信機器。
【請求項４】
請求項２に記載された光通信機器において、
前記コントローラは、
前記光ネットワークで障害が発生した場合、前記冗長経路の形成先の候補として複数存在する前記近接する他の光通信機器に前記アナログフロントエンド部を介して復旧要求を送り、
この復旧要求を受けた前記冗長経路の形成先の候補の光通信機器から送られてくる肯定応答および接続状況データを受信して前記冗長経路の形成先の光通信機器を決定し、
この決定した冗長経路の形成先の光通信機器に接続要求およびクライアント登録テーブルを送り、
前記接続要求およびクライアント登録テーブルを受けた前記冗長経路の形成先の光通信機器でのクライアント登録テーブルの更新完了および前記冗長経路の形成先の光通信機器が接続されている上位通信装置での登録テーブルの更新完了を知らせる完了応答と送信条件とを受信して、前記冗長経路の形成先の光通信機器との間のトラヒックの疎通を開始する
ことを特徴とする光通信機器。
【請求項５】
請求項１〜４の何れか１項に記載された光通信機器において、
前記制御部は、
電気信号に対して遅延を調整する電気バッファ部と、
電気信号のレートを変換するためのレート変換部と、
電気信号のアナログ／デジタル信号を相互に変換するためのアナログ／デジタル相互変換部と、
登録クライアント情報を格納するデータベースと、
前記コントローラとを備え、
前記コントローラは、
前記電気スイッチ部、前記電気バッファ部、前記レート変換部、前記アナログ／デジタル相互変換部および前記データベースを集中制御する
ことを特徴とする光通信機器。
【請求項６】
請求項１〜５の何れか１項に記載された光通信機器が設置された光ネットワークを複数備え、
近接する光通信機器同士が前記アナログフロントエンド部を介して無線リンクを確立し、この確立された無線リンクを冗長経路として、障害が発生した側の光ネットワークから正常な通信を継続している光ネットワークへトラヒックの流通が行われる
ことを特徴とする光通信システム。
【発明の詳細な説明】
【技術分野】
【０００１】
本発明は、上位通信装置とクライアント機器群とが光ファイバを通じて接続される光ネットワークの中継点に設置される光通信機器およびこの光通信機器を用いた光通信システムに関する。
【背景技術】
【０００２】
近年、通信トラフィック量の爆発的増大により、上位通信装置とクライアント機器との間を光ファイバを通じて接続する光ネットワークには更なる高速性が求められている。特にアクセス区間を担う光ネットワーク設備の数は膨大であるため、運用や設備投資にかかるコスト抑制も求められている。
【０００３】
光ネットワークの設備の数を削減するためには、上位通信装置１台あたりに接続されるクライアント機器の数を増やすことや（多分岐化）、上位通信装置がカバーするエリアを拡大する（長距離伝送化）などの方法が有効である。
【０００４】
この場合、上位通信装置とクライアント機器群との間に光リピータと呼ばれる光通信機器を設置することが最も有効な手段の一つとされる。光リピータは、光ファイバ伝搬時に減衰・劣化した光信号を中継再生し、光ネットワークの多分岐化、長距離伝送化を実現する機能を備えている。
【０００５】
例えば、光ネットワークのアクセス区間に適用される光リピータとして、特許文献１には、強度の異なるバースト光信号入力に対し、出力値を一定に制御することのできるフィードフォワード制御機能を備え、かつ入力された弱バースト信号の光信号強度を正確に検出することにより、入力ダイナミックレンジを拡大することのできる光増幅器を提供することを目的とした光リピータが示されている。
【０００６】
この特許文献１に示された光リピータを用いれば、強度の異なるバースト光信号入力に対し、光ネットワークに縦続接続した光リピータを用いて入力された弱バースト信号の光信号強度を正確に検出し、入力ダイナミックレンジを拡大することができる。これにより、クライアント機器群がばらついた距離で接続されたとしても、通信障害なく光信号を再生し、光ネットワークの多分岐化、長距離伝送化を実現することができる。
【０００７】
さらに、特許文献２に示された光リピータは、自身に入力される光信号を増幅する中継増幅部と、所定の透過帯域幅を持ち中継増幅部で増幅された光信号が結合される光バンドパスフィルタと、入力される光信号の波長と光バンドパスフィルタの透過帯域幅の中心波長との波長差を監視する波長判定部と、中継増幅部と光バンドパスフィルタとの間に配置され、波長判定部が監視する波長差が所定の規定値より大きいときに中継増幅部で増幅された光信号の波長が光バンドパスフィルタの透過帯域幅に含まれるように光信号の波長を変換する波長変換部とを備えることを特徴としている。
【０００８】
この特許文献２に示された構成では、狭帯域の透過特性を有する光バンドパスフィルタの利用を可能とし、光増幅デバイスで発生する雑音を抑制することによって、多分岐化、長距離伝送化に有利な光リピータの提供を可能としている。
【先行技術文献】
【特許文献】
【０００９】
【特許文献１】特許第６０３４７４９号公報
【特許文献２】特許第４８３４１６４号公報
【発明の概要】
【発明が解決しようとする課題】
【００１０】
しかしながら、通信機器の削減のため、光リピータを光ネットワークに対して縦続接続し、多分岐化や長距離伝送化を行った場合には、光リピータが新たに挿入されることや、また長距離伝送化の場合においては光ファイバの距離が延伸されることなどによって、光ネットワークを構成する通信設備量が増え、故障リスクが増大する。このことから、結果として、光ネットワークの末端に接続されたクライアント機器の稼働率が劣化する。この場合、クライアント機器の稼働率の劣化（サービス品質の劣化）を抑制するためには、通信機器や光ファイバの２重化など、冗長構成の採用が必要となる。このことは、当初の目的であった光ネットワークの低コスト化の目的に反するため、望ましいものではない。
【００１１】
本発明は、このような課題を解決するためになされたもので、その目的とするところは、光ネットワークの低コスト化を維持しながら、光ネットワークの末端に接続されたクライアント機器の稼働率を維持、もしくは向上させることが可能な光通信機器および光通信システムを提供することにある。
【課題を解決するための手段】
【００１２】
このような目的を達成するために本発明は、上位通信装置（１）とクライアント機器群（３）とが光ファイバを通じて接続される光ネットワーク（ＮＷ）の中継点に設置される光通信機器（光リピータ）（２）において、主信号再生部（２１）と制御部（２２）とアナログフロントエンド部（２３）とを備え、主信号再生部（２１）は、クライアント機器群側から送られてくる光信号（Ｓ１）および上位通信装置側から送られてくる光信号（Ｓ２）を上位通信装置側への電気信号およびクライアント機器群側への電気信号に変換する光電変換部（２１１1、２１１2）と、光電変換部で変換された上位通信装置側への電気信号およびクライアント機器群側への電気信号を上位通信装置側への再生増幅された光信号およびクライアント機器群側への再生増幅された光信号に変換する電光変換部（２１２1、２１２2）と、光電変換部から電光変換部への電気信号の通路に設けられた電気スイッチ部（２１３1、２１３2）とを備え、制御部（２２）は、光ネットワーク（ＮＷ）で障害が発生した場合、電気スイッチ部（２１３1、２１３2）を制御し、光電変換部から上位通信装置側への電気信号の流出経路（Ｃ１）、および電光変換部へのクライアント機器群側への電気信号の流入経路（Ｃ２）をアナログフロントエンド部（２３）側へ切り替えるコントローラ（２２５）を備え、アナログフロントエンド部（２３）は、近接する他の光リピータ（２Ｂ）との無線リンクを確立するための機能を備えることを特徴とする。
【００１３】
このような構成とすることにより、本発明によれば、光リピータ（２Ａ）が所属する光ネットワーク（ＮＷＡ）で障害が発生した場合、アナログフロントエンド部（２３）と近接する他の光リピータ（２Ｂ）との間の無線リンクを確立させ、この確立させた無線リンクを冗長経路（Ｌ）として、障害が発生した側の光ネットワーク（ＮＷＡ）のトラヒックを、近接する光リピータ（２Ｂ）が所属する光ネットワーク（ＮＷＢ）へ流通させようにすることが可能となる。
【００１４】
すなわち、通信機器や光ファイバの冗長化を行うことなく、光ネットワークの多分岐化、長距離伝送化を達成しながら、光ネットワークを構成する光ファイバや通信機器に障害が生じた場合においても、近接する他の光リピータとの間にアナログフロントエンド部を介して冗長経路を形成し、障害が発生した側の光ネットワークから正常な通信を継続している光ネットワークへトラヒックを流通させるようにすることが可能となる。
【００１５】
なお、上記説明では、一例として、発明の構成要素に対応する図面上の構成要素を、括弧を付した参照符号によって示している。
【発明の効果】
【００１６】
以上説明したように、本発明によれば、光リピータに主信号再生部と制御部とアナログフロントエンド部とを設けることにより、近接する他の光リピータとの間にアナログフロントエンド部を介して冗長経路を形成し、障害が発生した側の光ネットワークから正常な通信を継続している光ネットワークへトラヒックを流通させるようにして、光ネットワークの低コスト化を維持しながら、光ネットワークの末端に接続されたクライアント機器の稼働率を維持、もしくは向上させることが可能となる。
【図面の簡単な説明】
【００１７】
【図１】図１は、本発明の実施の形態に係る光リピータの要部の構成を示す図である。
【図２Ａ】図２Ａは、隣接する光リピータが接続されたネットワークの状態（初期状態）を示す図である。
【図２Ｂ】図２Ｂは、隣接する光リピータが接続されたネットワークの状態（１系における通信断発生）を示す図である。
【図２Ｃ】図２Ｃは、隣接する光リピータが接続されたネットワークの状態（復旧要求）を示す図である。
【図２Ｄ】図２Ｄは、隣接する光リピータが接続されたネットワークの状態（リンク確立）を示す図である。
【図２Ｅ】図２Ｅは、隣接する光リピータが接続されたネットワークの状態（トラヒック疎通開始）を示す図である。
【図３】図３は、具体的な冗長経路接続シーケンスを説明するための接続シーケンス図である。
【発明を実施するための形態】
【００１８】
以下、本発明の実施の形態を図面に基づいて詳細に説明する。図１は本発明の実施の形態に係る光リピータ（光通信機器）要部の構成を示す図である。
【００１９】
〔全体の構成〕
本実施の形態に係る光リピータ２は、上位通信装置１とクライアント機器群３とが光ファイバを通じて接続される光ネットワークＮＷの中継点に設置されている。すなわち、光ファイバを通じて１対多で接続構成される上位通信装置１とクライアント機器群３との間に縦続接続されている。
【００２０】
また、本実施の形態に係る光リピータ２は、光信号の再生を担う主信号再生部２１と、障害発生時においてアダプティブに信号を流通させるための制御部２２と、周囲の近接する他の光リピータ２との間の無線インターフェースを担うアナログフロントエンド部２３とから構成されている。
【００２１】
光リピータ２には、クライアント機器群３から上位通信装置１に流通する上り光信号Ｓ１と、上位通信装置１からクライアント機器群３に流通する下り光信号Ｓ２とが入力される。この例では、光信号Ｓ１，Ｓ２としてベースバンド信号を想定しているが、光通信方式の変調フォーマットによってはＲＦ変調されていてもよい。
【００２２】
〔主信号再生部〕
まず、主信号再生部２１の構成を述べる。主信号再生部２１は、クライアント機器群３側から送られてくる光信号Ｓ１を電気信号に変換する第１の光電変換部（Ｏ／Ｅ）２１１1と、上位通信装置１側から送られてくる光信号Ｓ２を電気信号に変換する第２の光電変換部（Ｏ／Ｅ）２１１2と、第１の光電変換部２１１1で変換された電気信号を上位通信装置１側への再生増幅された光信号Ｓ１に変換する第１の電光変換部（Ｅ／Ｏ）２１２1と、第２の光電変換部２１１2で変換された電気信号をクライアント機器群３側への再生増幅された光信号Ｓ２に変換する第２の電光変換部（Ｅ／Ｏ）２１２2と、第１の光電変換部２１１1と第１の電光変換部２１２1との間の電気信号の通路に設けられた第１の電気スイッチ部２１３1と、第２の光電変換部２１１2と第２の電光変換部２１２2との間の電気信号の伝送路中に設けられた第２の電気スイッチ部２１３2とを備えている。
【００２３】
この構成において、第１の光電変換部２１１1と第２の光電変換部２１１2とを合わせた構成が本発明でいう光電変換部に相当し、第１の電光変換部２１２1と第２の電光変換部２１２2とを合わせた構成が本発明でいう電光変換部に相当する。また、第１の電気スイッチ部２１３1と第２の電気スイッチ部２１３2とを合わせた構成が本発明でいう電気スイッチ部に相当する。
【００２４】
主信号再生部２１において、クライアント機器群３からの光信号Ｓ１は光電変換部２１１1において電気信号に変換され、上位通信装置１からの光信号Ｓ２は光電変換部２１１2において電気信号に変換される。この光リピータ２を含め、周囲の近接する他の光リピータ２に障害が発生していない場合には、制御部２２との切り替えを司る電気スイッチ部２１３1，２１３2において、光信号Ｓ１，Ｓ２は切り替えられること無く電光変換部２１２1，２１２2に流通され、電光変換部２１２1において再生増幅された光信号Ｓ１が上位通信装置１へ、電光変換部２１２2において再生増幅された光信号Ｓ２がクライアント機器群３へ流通される。
【００２５】
なお、図１では、光ネットワークＮＷをＮＷＡとＮＷＢの２つとし、光ネットワークＮＷＡの中継点に設置された光リピータ２を２Ａ、光ネットワークＮＷＢの中継点に設置された光リピータ２を２Ｂとしている。光リピータ２Ａ，２Ｂともにその構成は同じとされている。この構成において、光リピータ２Ａは光ネットワークＮＷＡに所属しており、光リピータ２Ｂは光ネットワークＮＷＢに所属している。また、光リピータ２Ａと光リピータ２Ｂとは近接して設置されているものとする。以下、光リピータ２Ｂを光リピータ２Ａに近接する他のリピータ（近接するリピータ）として説明を進める。
【００２６】
〔制御部〕
次に、制御部２２の構成を述べる。制御部２２は、電気信号に対して遅延を調整する電気バッファ部２２１1，２２１2と、電気信号のレートを変換するためのレート変換部２２２と、電気信号のアナログ／デジタル信号を相互に変換するためのアナログ／デジタル相互変換部２２３と、登録クライアント情報を格納するデータベース（ＤＢ）２２４と、コントローラ２２５とを備えている。
【００２７】
コントローラ２２５は、電気スイッチ部２１３1，２１３2、電気バッファ部２２１1，２２１2、レート変換部２２２、アナログ／デジタル相互変換部２２３、データベース２２４を集中制御する。
【００２８】
また、コントローラ２２５は、光リピータ２Ａが所属する光ネットワークＮＷＡでの障害発生時にはその障害を検出して、冗長経路を形成するための近接する光リピータ２Ｂへの制御信号を生成し、近接する光リピータ２Ｂとの間に正常な冗長経路を形成することにより、光リピータ２Ａ自身が再度正常な通信を開始するための制御機能を提供する。
【００２９】
また、コントローラ２２５は、近接する光リピータ２Ｂが所属する光ネットワークＮＷＢでの障害発生時においても、近接する光リピータ２Ｂからの復旧要求信号を受信し、近接する光リピータ２Ｂとの間に正常な冗長経路を形成することにより、障害が発生した側の近接する光リピータ２Ｂが再度正常な通信を開始させるための制御機能を提供する。
【００３０】
データベース２２４には、光リピータ２Ａ自身に接続されているクライアント機器３１の識別情報、および障害発生時に光リピータ２Ａに接続されるクライアント機器３１の識別情報が格納される。これらの情報は、冗長経路を確立するプロセス時にコントローラ２２５から随時入力される。
【００３１】
電気スイッチ部２１３1，２１３2は、コントローラ２２５によって光リピータ２Ａ自身の切り替えが必要になった場合、主信号再生部２１における電気信号の経路を制御部２２側へ切り替えることによって、すなわち光電変換部２１１1からの電気信号の流出経路Ｃ１および電光変換部２１２2への電気信号の流入経路Ｃ２をアナログフロントエンド部２３側へ切り替えることによって、アナログフロントエンド部２３を介して近接する光リピータ２Ｂへの冗長経路へと誘導する。また、近接する光リピータ２Ｂからのトラヒックが流入した場合、制御部２２から流入する電気信号を混合し、主信号再生部２１から上位通信装置１間とトラヒック流通を再開させる機能を備える。
【００３２】
電気バッファ部２２１1，２２１2は、近接する光リピータ２Ｂが所属する光ネットワークＮＷＢでの障害発生時、主信号再生部２１へのトラヒック混合時に、光リピータ２Ａ自身に流通するトラヒックとの衝突が生じないようタイミングを調整する機能を備える。
【００３３】
レート変換部２２２は、障害が発生して近接する光リピータ２Ｂとの無線リンクが確立される際、その無線リンクのデータレートに応じてレートを変換する機能を有する。具体的には、ＤＳＰベースで実装されたアップ／ダウンコンバータで構成される。
【００３４】
アナログ／デジタル相互変換部２２３は、制御部２２で処理されるベースバンド電気信号を、後述するアナログフロントエンド部２３を通じた近接する光リピータ２Ｂとのリンク確立のため、ＲＦ変調するためのインターフェース機能を有する。
【００３５】
〔アナログフロントエンド部〕
アナログフロントエンド部２３は、制御部２２から入力されるＲＦ信号を送信し、また近接する光リピータ２Ｂの制御部２２から出力されるＲＦ信号を受信し、近接する光リピータ２Ｂと無線リンクを確立させる機能を有する。この機能によって、有線で接続されていない近接する光リピータ２Ｂとの間での冗長リンクが形成されることになる。
【００３６】
具体的には、アナログフロントエンド部２３は、無線送信部と無線受信部とを有し、無線送信部はパワーアンプ、バンドパスフィルタ、アンテナなどで構成される。また無線受信部は、低ノイズアンプ、バンドパスフィルタ、アンテナなどで構成される。アーキテクチャによっては、バンドパスフィルタ、アンテナなどはデュプレクサなどを介して共用される。
【００３７】
使用する搬送波の周波数帯は、設計される通信レートにはよるものの、３００ＧＨｚ程度以上のミリ波帯を用いることにより、数ｋｍの距離間において１Ｇｂｐｓを超える冗長無線リンクを確立することができる。この際、復旧される側の光リピータに所属するクライアント機器群の通信レートは光信号による通信時に比べて下がる可能性があるものの、稼働率自体を向上させることは可能である。
【００３８】
〔接続シーケンス〕
ここでは、具体的な冗長経路接続シーケンスを述べる。図２Ａ〜図２Ｅは隣接する光リピータが接続されたネットワークの状態を図示したものであり、図３は接続シーケンス図である。
【００３９】
〔初期状態〕
図２Ａは初期状態を示している。ネットワークには０系と１系の２系統が並列して存在することとし、ネットワークはスター型のネットワークを想定する。それぞれのネットワークは、上位通信装置１、光リピータ２、クライアント機器群３、光分岐４で構成される。上位通信装置１と光リピータ２はトランク区間光リンク５で接続され、光リピータ２とクライアント機器群３は、光分岐４を介してアクセス区間光リンク６で接続されている。初期の状態では、両系ともに障害無くトラヒックを流通できているものとする。
【００４０】
なお、図２Ａでは、１系の光リピータ２（２−１）が図１に示した光リピータ２Ａに相当し、０系の光リピータ２（２−０）が図１に示した近接する光リピータ２Ｂに相当するものとする。
【００４１】
〔１系における通信断発生〕
図２Ｂにおいて、１系側に通信断が発生したこととする。障害発生箇所は、トランク区間光リンク５−１とする。この際、上位通信装置１−１からの下り光信号Ｓ２は、光リピータ２−１に流入しない状態となる。また、光リピータ２−１からの上り光信号Ｓ１は、上位通信装置１へ流入しない状態となる。
【００４２】
光リピータ２−１は、この信号の流入出の関係からどの区間で障害が発生したかを検知する機能を備える。例えば、図１に示した構成において、主信号再生部２１における下り光信号用の電気スイッチ部２１３2において無信号状態を検出し、コントローラ２２５に障害発生を通知する機能を備える。このフェーズは図３のシーケンス図における「（ａ）通信断検出」に相当する。
【００４３】
〔復旧要求〕
図２Ｃでは復旧要求を近接する全ての光リピータ２に対してブロードキャスト送信している。このフェーズは図３のシーケンス図における「（ｂ）復旧要求」に相当する。この場合、近隣に存在する全ての光リピータ２で復旧要求が受信される。
【００４４】
復旧要求を受信した光リピータ２は、障害が発生した側の光リピータ２−１に接続されているクライアント機器群３−１を接続可能な場合は肯定応答を送信する。この際、同時に、光リピータ２の識別情報（この場合”０系”という情報）と、接続状況のデータを合わせて送信する。
【００４５】
この場合、接続状況のデータは、受け入れ側の光リピータ２−０に接続されているクライアント機器３１の数でも良いし、トラヒック流通状況、クライアント機器からの優先度別トラヒック状況などが採用される。このフェーズは図３のシーケンス図における「（ｃ）肯定応答＋接続状況データ」のフェーズに相当する。
【００４６】
複数の受入先候補である光リピータ２から肯定応答および接続状況データを受け取った光リピータ２−１は、接続状況データをもとにどの光リピータ２に接続すれば効率的であるかをコントローラ２２５において判断する。これは、図３のシーケンス図における「（ｄ）接続先判断」に相当する。この例では接続先が０系の光リピータ２−０に決定されたこととする。
【００４７】
接続先が決定した場合、１系の光リピータ２−１は、接続要求とクライアント登録テーブル（図１におけるデータベース２２４に格納されている）を、０系の光リピータ２−０を宛先として無線送信する。これは、図３のシーケンス図における「（ｅ）接続要求＋クライアント登録テーブル」に相当する。０系の光リピータ２−０以外の近接する光リピータ２は、この接続要求を受け取ったとしても要求を無視する。
【００４８】
〔リンク確立〕
図２Ｄでは、復旧要求を受け取った０系の光リピータ２−０が、障害が発生した側の１系の光リピータ２−１と無線リンクを確立し、１系の光リピータ２−１と０系の光リピータ２−０との間に冗長経路Ｌが形成されている。０系の光リピータ２−０は１系の光リピータ２−１からの接続要求およびクライアント登録テーブルを受け取った後、データベース２２４に格納されている自身のクライアント登録テーブルを更新する。これは、図３のシーケンス図における「（ｆ）クライアント登録テーブル更新」に相当する。
【００４９】
更に、０系の上位通信装置１−０に対し、０系と１系の光リピータ２−０、２−１のクライアント登録テーブル情報を送信する。図３のシーケンス図における「（ｇ）クライアント登録テーブル」に相当する。情報を受け取った０系の上位通信装置１−０は、自身のクライアント接続状況を更新し、上位通信レイヤにてアドレスの解決を行い、１系の光リピータ２−１に接続されているクライアント機器群３−１を収容するよう設定変更する。これは図３のシーケンス図における「（ｈ）登録テーブル更新」に相当する。
【００５０】
上記操作が完了した後、０系の上位通信装置１−０は、更新完了応答を０系の光リピータ２−０に対して送信する。これは図３のシーケンス図における「（ｉ）更新完了応答」に相当する。
【００５１】
０系の光リピータ２−０において、「（ｆ）クライアント登録テーブル更新」のシーケンスが完了されている場合、上位通信装置１−０からの更新完了応答を受信した０系の光リピータ２−０は、完了応答と、トラヒックの送信条件を１系の光リピータ２−１に送信する。送信条件とは、遅延やトラヒック混合を加味したパケット送信タイミングや、混雑状況を加味したリンクレートなどが含まれる。これは図３のシーケンス図における「（ｊ）完了応答＋送信条件」に相当する。
【００５２】
〔トラヒック疎通開始〕
図２Ｅでは、１系の光リピータ２−１が無線リンクを介して０系の光リピータ２−０に対しトラヒックを疎通開始している。トラヒックは、コントローラ２２５による送信タイミング制御、リンクレート制御によって、０系の上位通信装置１−０と０系と１系のクライアント機器群３（３−０，３−１）からのトラヒックが、衝突せず、かつ複層しないように制御され流通される。これは図３のシーケンス図における「」（ｋ）トラヒック疎通開始」に相当する。
【００５３】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００５４】
１…上位通信装置、２…光リピータ（光通信機器）、３…クライアント機器群、４…光分岐、５…トランク区間光リンク、６…アクセス区間光リンク、２１…主信号再生部、２２…制御部、２３…アナログフロントエンド部、３１…クライアント機器、２２２…レート変換部、２２３…デジタル相互変換部、２２４…データベース（ＤＢ）、２２５…コントローラ、２１１1，２１１2…光電変換部（Ｏ／Ｅ）、２１２1，２１２2…電光変換部（Ｅ／Ｏ）、２１３1，２１３2…電気スイッチ部、２２１1，２２１2…電気バッファ部、Ｌ…冗長経路、Ｃ１…流出経路、Ｃ２…流入経路、ＮＷ…光ネットワーク。
【図１】
2019087960.tif 000003
【図２Ａ】
2019087960.tif 000004
【図２Ｂ】
2019087960.tif 000005
【図２Ｃ】
2019087960.tif 000006
【図２Ｄ】
2019087960.tif 000007
【図２Ｅ】
2019087960.tif 000008
【図３】
2019087960.tif 000009